(57)【要約】【課題】建物内の部屋の天井に設けた段差を、効果的に大きく見せられるようにすること。【解決手段】建物内の部屋の天井構造（１）は、第１の天井面（１１）と、第１の天井面よりも上に位置する第２の天井面（１２）と、第１の天井面と第２の天井面とをつなぐ側面部（１３）とを備える。側面部（１３）は、下端から上端に向かって後退する傾斜面（２１）を含む。傾斜面（２１）が平坦面である場合、第１の天井面（１１）と傾斜面（２１）との角度（θ）は、３０°以上６０°以下であることが望ましい。【選択図】図２
2018184719.tif 000002
【特許請求の範囲】
【請求項１】
建物内の部屋の天井構造であって、
第１の天井面と、
前記第１の天井面よりも上に位置する第２の天井面と、
前記第１の天井面と前記第２の天井面とをつなぐ側面部とを備え、
前記側面部は、下端から上端に向かって後退する傾斜面を含む、天井構造。
【請求項２】
前記傾斜面は平坦面であり、
前記第１の天井面と前記傾斜面との角度は、３０°以上６０°以下である、請求項１に記載の天井構造。
【請求項３】
前記傾斜面の下端が前記第１の天井面と交差しており、
前記側面部は、前記傾斜面の上端と前記第２の天井面との間に位置して前記傾斜面の上端よりも後方に窪む窪み部を有している、請求項１または２に記載の天井構造。
【請求項４】
前記窪み部の高さ寸法は、前記傾斜面の高さ寸法の１／２以下である、請求項３に記載の天井構造。
【請求項５】
前記窪み部は、前記第２の天井面と、前記第２の天井面に直交する直立面と、前記傾斜面の上端と前記直立面の下端との間に位置し、前記直立面に直交する底面とにより三方が囲まれた空間である、請求項３または４に記載の天井構造。
【請求項６】
前記第１の天井面と前記第２の天井面との段差部に用いられる段差下地部材をさらに備え、
前記段差下地部材は、前記第１の天井面の少なくとも端部と前記傾斜面と前記窪み部の底面とを一体的に形成する、請求項５に記載の天井構造。
【請求項７】
前記第１の天井面の他部分を構成する第１の天井部材、および、前記第２の天井面を構成する第２の天井部材をさらに備え、
前記段差下地部材は、前記第１の天井部材および前記第２の天井部材と同じ材質で形成されている、請求項６に記載の天井構造。
【請求項８】
前記段差下地部材と前記第２の天井面との間に配置され、前記窪み部の直立面を構成する見切部材をさらに備える、請求項６または７に記載の天井構造。
【請求項９】
前記第１の天井面、前記第２の天井面、および、前記段差下地部材の表面には、化粧シートが配されており、
前記見切部材は、前記第２の天井面に交差して配置される薄板部と、前記薄板部の表面を被覆する化粧シート材とを含む、請求項８に記載の天井構造。
【請求項１０】
前記第１の天井面と前記第２の天井面との段差部に用いられる段差下地部材をさらに備え、
前記段差下地部材は、略Ｖ字状断面を有し、前記第１の天井面の少なくとも端部と前記傾斜面とを一体的に形成する、請求項１〜５のいずれかに記載の天井構造。
【請求項１１】
建物内の部屋の第１の天井面と前記第１の天井面よりも上に位置する第２の天井面との間の段差部に用いられる下地部材であって、
前記第１の天井面の少なくとも端部を形成する下側板部と、
前記下側板部と鋭角をなして交差する傾斜板部とを備える、段差下地部材。
【請求項１２】
前記傾斜板部の上端に一端が連結されて前記下側板部と平行に延びる上側板部をさらに備える、請求項１１に記載の段差下地部材。
【請求項１３】
建物内の部屋の第１の天井面と前記第１の天井面よりも上に位置する第２の天井面との間の段差部に、前記第１の天井面の少なくとも端部を形成する下側板部と、前記下側板部と鋭角をなして交差する傾斜板部とを備える段差下地部材を取り付けることを特徴とする、天井の段差部の施工方法。
【発明の詳細な説明】
【技術分野】
【０００１】
本発明は、折上げ天井など段差部を有する天井構造、天井の段差部に用いられる段差下地部材、および、天井の段差部の施工方法に関する。
【背景技術】
【０００２】
部屋の天井の一部を上方へ凹ませて折上げ天井とすることは、部屋を広く見せるなどの視覚的な効果が得られるため住宅等で多用されている。折上げ天井の納まりの一例として、たとえば実公昭６０−３６６４７号公報（特許文献１）に開示された天井構造が挙げられる。この天井構造では、周辺天井板の内側端部の上に枠組み体の矩形枠部分が配置され、この矩形枠部分と中央天井板との間に幕板が垂直に配置されており、周辺天井板の内側端部とその上に位置する矩形枠部分とが、略Ｕ字状（コ字状）の化粧カバーで被覆されている。
【０００３】
また、特開２００１−１６４６９１号公報（特許文献２）では、方形の折上げ天井部と、その周辺四辺から下方へ折曲連設された方形筒状の折上げ部と、その下辺から内側へ折曲連設された方形枠状の目隠し部とを備えた折上げ天井ユニットが用いられている。この天井構造では、目隠し部の上に間接照明用の照明器具が設置されている。
【先行技術文献】
【特許文献】
【０００４】
【特許文献１】実公昭６０−３６６４７号公報
【特許文献２】特開２００１−１６４６９１号公報
【発明の概要】
【発明が解決しようとする課題】
【０００５】
最も典型的な折上げ天井の形状は、折上げ部の表面（側面）が垂直面により構成される。一方で、納まりや意匠的な観点から、特許文献１のように、化粧カバーによって幕板の下端部に回り縁が施された折上げ天井や、特許文献２のように、照明器具設置のための目隠し部が折上げ部の下端から内側に突出して配置された折上げ天井が存在する。
【０００６】
しかしながら、基準天井面（周辺天井面）と折上げ天井面との段差が比較的小さい場合には、これらの従来の天井構造では、段差の効果を十分に得ることができない。
【０００７】
本発明は、上記のような課題を解決するためになされたものであって、その目的は、段差を効果的に大きく見せることのできる天井構造、段差下地部材、および、天井の段差部の施工方法を提供することである。
【課題を解決するための手段】
【０００８】
この発明のある局面に従う天井構造は、建物内の部屋の天井構造であって、第１の天井面と、第１の天井面よりも上に位置する第２の天井面と、第１の天井面と第２の天井面とをつなぐ側面部とを備え、側面部は、下端から上端に向かって後退する傾斜面を含む。
【０００９】
好ましくは、傾斜面は平坦面であり、第１の天井面と傾斜面との角度は、３０°以上６０°以下である。
【００１０】
傾斜面の下端が第１の天井面と交差しており、側面部は、傾斜面の上端と第２の天井面との間に位置して傾斜面の上端よりも後方に窪む窪み部を有していることが望ましい。
【００１１】
好ましくは、窪み部の高さ寸法は、傾斜面の高さ寸法の１／２以下である。
【００１２】
また、窪み部は、第２の天井面と、第２の天井面に直交する直立面と、傾斜面の上端と直立面の下端との間に位置し、直立面に直交する底面とにより三方が囲まれた空間であることが望ましい。
【００１３】
好ましくは、天井構造は、第１の天井面と第２の天井面との段差部に用いられる段差下地部材をさらに備える。この段差下地部材は、第１の天井面の少なくとも端部と傾斜面と窪み部の底面とを一体的に形成する。
【００１４】
天井構造は、第１の天井面の他部分を構成する第１の天井部材、および、第２の天井面を構成する第２の天井部材をさらに備える。段差下地部材は、第１の天井部材および第２の天井部材と同じ材質で形成されていることが望ましい。
【００１５】
好ましくは、天井構造は、段差下地部材と第２の天井面との間に配置され、窪み部の直立面を構成する見切部材をさらに備える。
【００１６】
この天井構造において、第１の天井面、第２の天井面、および、段差下地部材の表面に、化粧シートが配される場合、見切部材は、第２の天井面に交差して配置される薄板部と、薄板部の表面を被覆する化粧シート材とを含むことが望ましい。
【００１７】
上述の段差下地部材は、略Ｖ字状断面を有し、第１の天井面の少なくとも端部と傾斜面とを一体的に形成してもよい。
【００１８】
この発明の他の局面に従う段差下地部材は、建物内の部屋の第１の天井面と第１の天井面よりも上に位置する第２の天井面との間の段差部に用いられる下地部材であって、第１の天井面の少なくとも端部を形成する下側板部と、下側板部と鋭角をなして交差する傾斜板部とを備える。
【００１９】
好ましくは、段差下地部材は、傾斜板部の上端に一端が連結されて下側板部と平行に延びる上側板部をさらに備える。
【００２０】
この発明のさらに他の局面に従う天井の段差部の施工方法は、建物内の部屋の第１の天井面と第１の天井面よりも上に位置する第２の天井面との間の段差部に、第１の天井面の少なくとも端部を形成する下側板部と、下側板部と鋭角をなして交差する傾斜板部とを備える段差下地部材を取り付けることを特徴とする。
【発明の効果】
【００２１】
本発明の天井構造によれば、第１の天井面と第２の天井面との段差を効果的に大きく見せることができる。また、本発明の段差下地部材を用いることによって、このような天井構造の施工を簡易に行うことができる。
【図面の簡単な説明】
【００２２】
【図１】本発明の実施の形態に係る天井構造の概略を示す外観図である。
【図２】本発明の実施の形態に係る天井構造の段差部の形状を模式的に示す断面図である。
【図３】本発明の実施の形態において窪み部にできる陰を概念的に示す図である。
【図４】本発明の実施の形態に係る天井構造の段差部の納まりを模式的に示す断面図である。
【図５】本発明の実施の形態における段差下地部材の側面図である。
【図６】本発明の実施の形態における段差下地部材の上面図である。
【図７】本発明の実施の形態における見切部材の構成を模式的に示す断面図である。
【図８】本発明の実施の形態に係る天井構造の施工順序を示すフローチャートである。
【図９】本発明の実施の形態に係る天井構造の段差部の納まりの他の例を模式的に示す断面図である。
【図１０】本発明の実施の形態の変形例１に係る天井構造の段差部の形状を模式的に示す断面図である。
【図１１】本発明の実施の形態の変形例２に係る天井構造の段差部の形状を模式的に示す断面図である。
【図１２】本発明の実施の形態の変形例３に係る天井構造の段差部の形状を模式的に示す断面図である。
【図１３】本発明の実施の形態の変形例４に係る天井構造を模式的に示す断面図である。
【図１４】公知の天井構造の概略を示す外観図である。
【図１５】公知の天井構造の段差部の形状を模式的に示す断面図である。
【発明を実施するための形態】
【００２３】
本発明の実施の形態について図面を参照しながら詳細に説明する。なお、図中同一または相当部分には同一符号を付してその説明は繰返さない。
【００２４】
本実施の形態では、住宅のたとえば１階に位置する部屋の折上げ天井の構造および施工方法について説明する。
【００２５】
（天井構造の概略構成について）
図１および図２を参照して、本実施の形態における部屋９の天井構造１の概略構成について説明する。図１は、本実施の形態に係る天井構造１の概略を示す外観図である。図２は、天井構造１の段差部の形状を模式的に示す断面図である。図２の断面図は、図１の領域ＩＩを拡大して示している。図１および図２に示す矢印Ａ２は部屋９の上方を表わす。部屋９は、たとえばリビングなどの居室であるものとするが、玄関等の非居室であってもよい。
【００２６】
部屋９の天井構造１は、第１の天井面１１と、第１の天井面１１よりも上に位置する第２の天井面１２と、第１の天井面１１と第２の天井面１２とをつなぐ側面部１３とを備える。第１の天井面１１は、部屋９の基準天井面に相当する。第１の天井面１１は、第２の天井面１２の周囲を取り囲むように配置され、部屋９の壁９１に直交（交差）する。第２の天井面１２は、部屋９の折上げ天井面に相当する。第２の天井面１２は、平面視において矩形形状である。
【００２７】
図２の矢印Ａ１は、第２の天井面１２から見て外方向を表しており、この方向は段差部の後方側を示す。矢印Ａ１の反対方向は、第１の天井面１１から見て内方向（中央方向）を表しており、この方向は段差部の前方側を示す。
【００２８】
側面部１３は、天井構造１の立ち上がり部（折上げ部）を構成する。側面部１３は、第１の天井面１１の内側端部と第２の天井面１２の外側端部との間の段差部に、筒状に配置される。部屋９の室内空間を照らす照明器具（図示せず）は、側面部１３には配置されず、たとえば第２の天井面１２の中央部に取り付けられる。この場合、照明器具は、第２の天井面１２に固定されるシーリングタイプであってもよいし、第２の天井面１２から吊り下げられるペンダントタイプであってもよい。
【００２９】
本実施の形態において第１の天井面１１と第２の天井面１２との段差、すなわち鉛直方向の高低差Ｈは、比較的小さく１００ｍｍ未満（たとえば８０ｍｍ程度）である。
【００３０】
ここでまず、図１４および図１５を参照して、段差部を有する公知の天井構造１００の形状について簡単に説明する。部屋１０９の天井構造１００の形状は最もシンプルな形状であり、第１の天井面１１１の内側端縁と第２の天井面１１２の外側端縁とを接続する側面（内側を向く面）１１３が、垂直面により形成されている。つまり、側面１１３は、下端において第１の天井面１１１と直交し、上端において第２の天井面１１２と直交している。この場合、第１の天井面１１と第２の天井面１２との段差Ｈは、垂直面である側面１１３の高さ寸法に相当する。
【００３１】
部屋１０９内において居住者が下から天井を見上げた場合、側面１１３の高さそのものが、第１の天井面１１と第２の天井面１２との段差Ｈの大きさとして認識される。この場合、段差Ｈを比較的大きくしないと、段差Ｈの効果を十分に得ることができない。そのため、建物の躯体構造の関係等により、第１の天井面１１と第２の天井面１２との段差Ｈを大きくとれないような場合には、部屋１０９の天井をせっかく折上げ天井としても、居住者は、第２の天井面１１２の高さを十分に感じることができない。
【００３２】
これに対し、本実施の形態に係る天井構造１では、図２に示すように、側面部１３が、下端から上端に向かって後退する傾斜面２１と、傾斜面２１の上方に位置する窪み部２２とにより構成されている。これにより、第１の天井面１１と第２の天井面１２との段差Ｈを、視覚的な効果によって大きく見せることが可能となる。
【００３３】
（側面部の具体的な形状について）
図２を参照して、本実施の形態に係る天井構造１の側面部１３の具体的な形状について説明する。
【００３４】
側面部１３の傾斜面２１は、上述のように、下端から上端に向かって後退する。つまり、傾斜面２１の上端が、その下端を通る垂線よりも奥（外側）に位置している。本実施の形態において、傾斜面２１は滑らかな平坦面であり、第１の天井面１１の内側端部と鋭角をなして交差している。第１の天井面１１と傾斜面２１とのなす角度θは、具体的には４０°以上５０°以下であることが望ましく、本実施の形態では略４５°である。
【００３５】
このように、本実施の形態に係る天井構造１は、側面部１３に、第１の天井面１１と略４５°で交差する傾斜面２１が設けられるため、遠近感によって、側面１１３全体が垂直面である公知の天井構造１００よりも、第１の天井面１１と第２の天井面１２との段差（鉛直方向の高低差）Ｈを視覚的に大きく見せることができる。また、第１の天井面１１と傾斜面２１とが鋭角で交差するため、シャープな印象を与えることができ、部屋９の折上げ天井の美観を向上させることができる。
【００３６】
窪み部２２は、傾斜面２１の上端と第２の天井面１２との間に位置し、傾斜面２１の上端よりも後方に窪んでいる。具体的には、窪み部２２は、図２に示す断面視において、第２の天井面１２の端部１２ａと、底面２３と、直立面２４とにより三方が囲まれた空間である。窪み部２２の直立面２４は、第２の天井面１２に直交する面である。窪み部２２の底面２３は、傾斜面２１の上端と直立面２４の下端との間に位置し、直立面２４に直交する面である。つまり、底面２３は第１の天井面１１および第２の天井面１２と平行である。
【００３７】
鉛直方向において、窪み部２２の高さ寸法ｈ２は、傾斜面２１の高さ寸法ｈ１の１／２以下である。つまり、窪み部２２の高さ寸法ｈ２は、段差Ｈの１／２未満である。また、傾斜面２１の傾斜方向に沿う長さは、段差Ｈ以上であることが望ましい。これにより、傾斜面２１の存在が目立つため、段差Ｈを効果的に大きく見せることができる。
【００３８】
本実施の形態では、断面視において、傾斜面２１の延長線が、第２の天井面１２と直立面２４との交差点Ｐａ付近を通る。そのため、下方から側面部１３を見た場合に、窪み部２２の奥の直立面２４が下からは全くまたは殆ど見えない。そのため、第２の天井面１２が宙に浮いたような浮遊感を生じさせることができる。このような浮遊感を生じさせるためには、傾斜面２１の延長線が第２の天井面１２と交わることが望ましい。
【００３９】
また、図３に示されるように、窪み部２２の略全体に陰２２０ができるため、陰２２０の効果によって傾斜面２１がその上端を越えてずっと奥まで続いているような錯覚を生じさせることができる。その結果、段差Ｈをより効果的に大きく見せることができる。
【００４０】
このように、本実施の形態の天井構造１によれば、天井構造１の段差部を立体的に装飾するだけでなく、視覚的な効果によって段差Ｈを大きく見せることができるため、部屋９における開放感を向上させることが可能となる。
【００４１】
なお、第１の天井面１１と傾斜面２１とのなす角度θは、下から見た場合に傾斜面２１の上端まで視認でき、かつ、遠近感が得られるような角度であればよく、３０°以上６０°以下の範囲で任意に定めてもよい。
【００４２】
また、窪み部２２の高さ寸法ｈ２は、傾斜面２１の高さ寸法ｈ１よりも小さければよく、高さ寸法ｈ１の１／２以上であってもよい。
【００４３】
（天井構造の納まりについて）
次に、本実施の形態に係る天井構造１を実現するための段差部の納まりについて、図４を参照しながら説明する。図４は、本実施の形態に係る天井構造１の段差部の納まりを模式的に示す断面図である。
【００４４】
図４に示されるように、天井構造１の段差部は、主に、段差下地部材４１と、第１の天井部材４２と、第２の天井部材４３と、見切部材４５とによって構成される。
【００４５】
段差下地部材４１は、図２に示した第１の天井面１１の（少なくとも）内側端部と傾斜面２１と窪み部２２の底面２３とを一体的に形成する部材である。第１の天井部材４２は、第１の天井面１１のうちの内側端部を除く部分（他部分）を構成する板状部材である。第２の天井部材４３は、第２の天井面１２を構成する板状部材である。第１の天井部材４２および第２の天井部材４３はいずれも、同じ材質で形成されており、典型的には石膏ボードである。見切部材４５は、図２に示した窪み部２２の直立面２４を形成する薄板状部材である。
【００４６】
段差下地部材４１および見切部材４５は、天井構造１の側面部１３を構成し、矩形形状の第２の天井面１２の一辺に沿って（図４において紙面を貫通する方向に）延びる。
【００４７】
段差下地部材４１の具体的な構造例については、図５および図６を参照して説明する。図５は、段差下地部材４１の側面図である。図６は、図５の矢印ＶＩ方向から段差下地部材４１を見た図であり、段差下地部材４１の上面図である。段差下地部材４１の説明において、段差下地部材４１の長手方向に直交する方向を奥行き方向という。
【００４８】
段差下地部材４１は、下側板部５１と、下側板部５１と鋭角をなして交差する傾斜板部５２と、傾斜板部５２の上端に一端が連結されて下側板部５１と平行に延びる上側板部５３とで構成される。下側板部５１と傾斜板部５２とのなす角度は、上述の角度θ（たとえば４５°）である。また、段差下地部材４１の高さ寸法ｈ１１は、傾斜面２１の高さ寸法ｈ１に略等しい。
【００４９】
下側板部５１の奥行き寸法Ｌ１は、傾斜板部５２と上側板部５３とを合わせた奥行き寸法Ｌ２よりも大きく、下側板部５１は上方から見て、後方側に拡張部分５１０を有している。
【００５０】
段差下地部材４１もまた石膏ボードであり、下側板部５１と傾斜板部５２と上側板部５３とが一体的に形成されている。このように、段差下地部材４１は、第１の天井部材４２および第２の天井部材４３と同じ材質で形成されているため、側面部１３を違和感なく他の天井部分と調和させることができる。
【００５１】
図７は、見切部材４５の構成を模式的に示す断面図である。見切部材４５は、たとえばＭＤＦ（中質繊維板）により形成される薄板部６１と、薄板部６１を被覆する化粧シート材６２とで構成される。見切部材４５の高さ寸法ｈ１２は、窪み部２２の高さ寸法ｈ２と略等しいが、それよりも若干小さい。化粧シート材６２は、後述の第１の天井部材４２用の化粧シート７２と略同じ色であり、同じ素材であることが望ましい。図７に示されるように、化粧シート材６２は、薄板部６１の少なくとも表面（内側を向く面）を被覆していればよい。
【００５２】
（天井の段差部の施工方法について）
続いて、図４および図８を参照しながら、天井構造１の段差部の施工方法について説明する。図８は、天井構造１の施工順序を示すフローチャートである。
【００５３】
作業者は、まず、第１および第２の天井部材４２，４３を、下地部材３１，３２にそれぞれ固定する（工程Ｐ１）。これらの下地部材３１，３２は、事前に、建物（住宅）の梁等の躯体部（図示せず）に直接または間接的に固定されている。下地部材３１は下地部材３２から外方向に離れて配置され、かつ、下地部材３２よりも相対的に下方に配置されている。下地部材３１および下地部材３２によって区画される領域には、たとえば合板により構成された、高さのある下地部材３３が設けられている。
【００５４】
次に、下地部材３３の内側の面のうち第２の天井部材４３よりも下方部分に垂直部材４４を固着して段差部を形成した後に、この段差部に、上記した段差下地部材４１を取り付け固定する（工程Ｐ２）。垂直部材４４は、天井構造１の側面部１３のベースとなる板状部材である。垂直部材４４もまた、石膏ボードであることが望ましい。
【００５５】
段差下地部材４１は、下側板部５１の端面５１１が第１の天井部材４２の内側端面に当接（または近接）し、かつ、上側板部５３の端面５３０が垂直部材４４に当接（または近接）した状態で固定される。
【００５６】
段差下地部材４１の取り付け作業は、段差下地部材４１を下方から図４に示す位置に真っすぐ持ち上げて行うことができる。段差下地部材４１は、下側板部５１の拡張部分５１０の上面が下地部材３１，３３および垂直部材４４の下面に当接した状態で固定される。段差下地部材４１は、下側板部５１の拡張部分５１０の上面と下地部材３１，３３等とを接着剤で仮固定してから、ネジ７１により本固定される。
【００５７】
段差下地部材４１を固定した後に、段差下地部材４１と第２の天井部材４３との間に見切部材４５を固定する（工程Ｐ３）。見切部材４５は、垂直部材４４の表面（内側の面）に、たとえば接着剤により固定される。
【００５８】
見切部材４５を固定すると、第２の天井部材４３の下面に化粧シート７３を貼り付け、第１の天井部材４２の下面および段差下地部材４１の表面（つまり、段差下地部材４１の下面、側面、および上面）に、化粧シート７２を貼り付ける（工程Ｐ４）。なお、化粧シート７２を施工する前に、第１の天井部材４２と段差下地部材４１の下側板部５１との接続部の下面を、パテ処理によって平滑面に仕上げておくことが望ましい。
【００５９】
このように、予め加工された段差下地部材４１を用いることにより、天井構造１の施工を容易に行うことができる。すなわち、段差下地部材４１によって、簡易かつ精度良く、側面部１３を含む段差部を施工することができる。また、化粧シート材６２が予め貼り付けられた見切部材４５を用いることにより、現場において、窪み部２２の直立面２４に相当する部分への化粧シートの貼り付け作業を不要にすることができる。したがって、化粧シート７２，７３の施工を簡素化することができる。
【００６０】
なお、本実施の形態では、第１の天井部材４２と段差下地部材４１の下側板部５１とによって第１の天井面１１が構成されることとしたが、たとえば第２の天井面１２が部屋の天井の大部分を占めるような場合には、第１の天井部材４２を省いてもよい。つまり、部屋９の第１の天井面１１は、段差下地部材４１の下側板部５１のみによって構成されてもよい。
【００６１】
（天井構造の納まりの他の例）
天井構造１を実現するための納まりは上記例に限定されない。図９は、天井構造１の段差部の納まりの他の例を模式的に示す断面図である。
【００６２】
図９の例では、天井構造１の段差部は、図４に示した段差下地部材４１に代えて、段差下地部材４１Ａを備えている。段差下地部材４１Ａは、３つの部材により構成されている。すなわち、段差下地部材４１Ａは、台形形状の断面を有する下地材８１と、略Ｖ字状断面を有するコーナー材８２と、コーナー材８２の先端部内側に挿入された三角材８３とを含む。
【００６３】
この例では、第１の天井部材４２が、垂直部材４４よりも内側に突出して配置されており、この突出部分の上に、台形形状の下地材８１が載置されている。下地材８１はたとえば木材である。下地材８１の下底辺と一方の脚辺とのなす角度は略直角であり、この一方の脚辺に相当する側面が垂直部材４４に当接する。下地材８１の下底辺と他方の脚辺とのなす角度は、上述の傾斜面２１の角度θである。下地材８１の上底に相当する天面が、窪み部２２の底面２３を構成する。
【００６４】
コーナー材８２は、第１の天井面１１の内側端部と傾斜面２１とを一体的に形成する部材である。つまり、コーナー材８２は、下側板部５１Ａと、下側板部５１Ａと鋭角をなして交差する傾斜板部５２Ａとを備える。コーナー材８２は、たとえばＡＢＳ樹脂製の薄板が折り曲げられて形成されている。コーナー材８２は、固定状態において、下側板部５１Ａが第１の天井部材４２の下面に面接触し、傾斜板部５２Ａが下地材８１の傾斜面に面接触する。コーナー材８２は、施工の容易化のために、下側板部５１Ａの上面に予め両面テープの一方面が貼り付けられていることが望ましい。
【００６５】
三角材８３の断面は、直角三角形であり、三角材８３の下面と傾斜面とのなす角度は上述の角度θである。三角材８３は、たとえば樹脂など剛性を有する部材により形成されている。三角材８３がコーナー材８２の先端部に挿入されることによって、コーナー材８２の曲折部分の形状を維持することができる。なお、三角材８３は、予め工場においてコーナー材８２に固定されて、コーナー材８２と三角材８３とが一体的に形成されていることが望ましい。これにより、部品点数を少なくすることができるため、施工性が向上する。
【００６６】
段差下地部材４１Ａの施工においては、まず、台形形状の下地材８１の一方の脚辺に相当する側面（後方を向く面）を垂直部材４４の表面に突き当てるようにして、下地材８１を第１の天井部材４２の上に載置する。台形形状の下地材８１は、釘等によって段差部の下地部材３１に固定される。
【００６７】
その後、三角材８３付きのコーナー材８２を、第１の天井部材４２の内側端部と下地材８１の傾斜面とを覆うように配置する。コーナー材８２は、三角材８３の露出面（後方を向く面）を第１の天井部材４２の前端面に突き当てるようにして取り付けられる。取り付け状態において、三角材８３の下面と第１の天井部材４２の下面とが面一状に配置される。また、三角材８３の傾斜面と下地材８１の傾斜面も面一状となる。
【００６８】
コーナー材８２の取り付け時には、下側板部５１Ａに予め設けられた両面テープの剥離紙を剥がして、両面テープの他方面を第１の天井部材４２に接着させることで、下側板部５１Ａと第１の天井部材４２とを容易に仮固定することができる。傾斜板部５２Ａの下地材８１への固着は、たとえば、傾斜板部５２Ａの裏面に塗布した接着剤により行われる。
【００６９】
コーナー材８２の固定後に、台形形状の下地材８１と第２の天井部材４３との間に位置する垂直部材４４に、見切部材４５が固着される。
【００７０】
なお、図９では、コーナー材８２の傾斜板部５２Ａが下地材８１の傾斜面の下半分だけを覆う例が示されているが、傾斜板部５２Ａが下地材８１の傾斜面の全体を覆ってもよい。つまり、天井構造１の側面部１３の傾斜面２１は、傾斜板部５２Ａと下地材８１の傾斜面とによって構成されてもよいし、傾斜板部５２Ａのみによって構成されてもよい。
【００７１】
また、この例においては、段差下地部材４１Ａが３つまたは２つの部材によって構成されることとしたが、段差下地部材は、コーナー材８２のみによって構成されてもよい。つまり、段差下地部材は、少なくとも、下側板部５１Ａと傾斜板部５２Ａとを備えていればよい。
【００７２】
（変形例１）
本実施の形態においては、天井構造１の側面部１３における傾斜面２１が平坦面であることとしたが、下端から上端に向かって後退するように形成された面であれば、平坦面でなくてもよい。たとえば、図１０に示す天井構造１Ａの側面部１３Ａのように、傾斜面２１Ａは湾曲面であってもよい。なお、湾曲面は、傾斜面２１Ａのような凸曲面に限定されず、凹曲面であってもよい。
【００７３】
また、傾斜面は滑らかな面に限定されず、多少の凹凸を有していてもよい。たとえば、比較的小さな段が複数（３個以上）形成された階段状の面であってもよい。
【００７４】
（変形例２）
本実施の形態においては、天井構造１の側面部１３が窪み部２２を有することとしたが、図１１に示す天井構造１Ｂの側面部１３Ｂのように、窪み部を有さなくてもよい。つまり、側面部１３Ｂは傾斜面２１のみで構成されてもよい。この場合、傾斜面２１は、第１の天井面１１だけでなく、第２の天井面１２にも交差する。
【００７５】
（変形例３）
本実施の形態においては、天井構造１の側面部１３における傾斜面２１が第１の天井面１１と交差することとしたが、図１２に示す天井構造１Ｃの側面部１３Ｃのように、第１の天井面１１に交差していなくてもよい。たとえば、傾斜面２１の下方に、傾斜面２１の下端縁よりも内側に突出する突出部２５が配置されていてもよい。
【００７６】
（変形例４）
図２および図１０に示したように、天井構造の側面部が窪み部２２を有する場合、窪み部２２に小型の照明装置を配置してもよい。図１３には、本変形例に係る天井構造１Ｄが模式的に示されている。天井構造１Ｄにおいて窪み部２２に配置された照明装置２６は、たとえばライン状のＬＥＤである。
【００７７】
照明装置２６は、傾斜面２１の上端よりも奥に（傾斜面２１の上端の位置よりも内側に出っ張ることなく）配置されていることが望ましい。これにより、折上げ天井の間接照明を可能としつつ、天井構造１Ｄの意匠性を向上させることができる。
【００７８】
（他の変形例）
上記説明では、第１の天井面１１が基準天井面である折上げ天井について説明したが、本実施の形態またはその変形例に係る天井構造を、第２の天井面１２が基準天井面である下がり天井にも適用することができる。
【００７９】
また、天井構造１が適用される部屋９が住宅内の部屋であることとしたが、住宅以外の建物、たとえば各種施設や事務所ビルなどの部屋であってもよい。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
１，１Ａ，１Ｂ，１００  天井構造、９，１０９  部屋、１１，１１１  第１の天井面、１２，１１２  第２の天井面、１３，１３Ａ，１３Ｂ  側面部、２１，２１Ａ  傾斜面、２２  窪み部、２３  底面、２４  直立面、３１，３２，３３  下地部材、４１，４１Ａ  段差下地部材、４２  第１の天井部材、４３  第２の天井部材、４４  垂直部材、４５  見切部材、５１，５１Ａ  下側板部、５２，５２Ａ  傾斜板部、５３  上側板部、６１  薄板部、６２  化粧シート材、７１  ネジ、７２，７３  化粧シート、８１  下地材、８２  コーナー材、８３  三角材、９１  壁、１１３  側面、２２０  陰、Ｈ  段差。
【図１】
2018184719.tif 000003
【図２】
2018184719.tif 000004
【図３】
2018184719.tif 000005
【図４】
2018184719.tif 000006
【図５】
2018184719.tif 000007
【図６】
2018184719.tif 000008
【図７】
2018184719.tif 000009
【図８】
2018184719.tif 000010
【図９】
2018184719.tif 000011
【図１０】
2018184719.tif 000012
【図１１】
2018184719.tif 000013
【図１２】
2018184719.tif 000014
【図１３】
2018184719.tif 000015
【図１４】
2018184719.tif 000016
【図１５】
2018184719.tif 000017